(57)【要約】【課題】コストの上昇を極力抑え、しかも利便性に優れた住宅構造を提供する。【解決手段】リフト１０が玄関床Ｆに台座１１表面が玄関土間Ｄの表面と面一になるようにして埋設されてなる住宅構造Ｋであって、リフト１０に隣接させて棚板を上下に有するタワー型収納２０がリフト１０を囲むようにして配設され、またリフト１０はリモコン操作により昇降可能とされてなるものである。【選択図】図１
2014181496.tif 000002
【特許請求の範囲】
【請求項１】
リフトが玄関床に台座表面が玄関の土間表面と面一になるようにして埋設されてなることを特徴とする住宅構造。
【請求項２】
リフトに隣接させて棚板を上下に有する収納が配設されてなることを特徴とする請求項１記載の住宅構造。
【請求項３】
収納は、リフトを囲むようにして配設されてなることを特徴とする請求項２記載の住宅構造。
【請求項４】
リフトは、リモコン操作により昇降可能とされてなることを特徴とする請求項１記載の住宅構造。
【発明の詳細な説明】
【技術分野】
【０００１】
本発明は住宅構造に関する。さらに詳しくは、利便性に優れた住宅構造に関する。
【背景技術】
【０００２】
高齢化社会の到来により、高齢者人口が増加してきている。それに伴い、従来の住宅における問題点が指摘されるようになってきている。
【０００３】
例えば、高齢になると歩行機能の低下から外出には車椅子の利用が不可欠となっている。
【０００４】
しかるに、車椅子を利用して外出する際に、玄関の床と土間との段差が問題となる。同様に、車椅子を利用した外出から自宅に戻る際も玄関の床と土間との段差が問題となる。このことは、歩行困難者にとっても同様である。
【０００５】
車椅子利用の際における玄関の床と土間との段差の問題を解消すべく、特許文献１には、通り抜け型のエレベータを玄関に設置することが提案されている。
【０００６】
しかしなから、エレベータを設置するには、費用が高額となるという別の問題がある。
【０００７】
なお、特許文献２には、玄関その他の段差を解消して、高齢者等の歩行や車椅子の走行を容易にすることなどを目的とした段差部に形成するためのスロープ構造が提案されている。
【先行技術文献】
【特許文献】
【０００８】
【特許文献１】特許第３８７１３６２号公報
【特許文献２】特開２００３−１１９９８２号公報
【発明の開示】
【発明が解決しようとする課題】
【０００９】
本発明はかかる従来技術の課題に鑑みなされたものであって、コストの上昇を極力抑え、しかも利便性に優れた住宅構造を提供することを目的としている。
【課題を解決するための手段】
【００１０】
本発明の住宅構造は、リフトが玄関床に台座表面が玄関の土間表面と面一になるようにして埋設されてなることを特徴とする。
【００１１】
本発明の住宅構造においては、リフトに隣接させて棚板を上下に有する収納が配設されてなるのが好ましい。その場合、収納は、リフトを囲むようにして配設されてなるのがさらに好ましい。
【００１２】
また、本発明の住宅構造においては、リフトはリモコン操作により昇降可能とされてなるのが好ましい。
【発明の効果】
【００１３】
本発明は前記の如く構成されているので、高齢者や歩行困難者などの車椅子利用者の帰宅や外出の際の利便性が向上するという優れた効果を奏する。
【００１４】
また、本発明の好ましい形態によれば、リフトに隣接させて収納が配設されているので、収納の利便性が向上し、その利用率が向上するという優れた効果を奏する。
【図面の簡単な説明】
【００１５】
【図１】本発明の一実施形態に係る住宅構造の概略図である。
【図２】同実施形態におけるリフトのブロック図である。
【図３】同実施形態における収納の概略図であって、同(ａ)は正面図を示し、同(ｂ)はＡ−Ａ線端面図を示す。
【図４】同実施形態における一階の平面図である。
【図５】同実施形態における中二階の平面図である。
【発明を実施するための形態】
【００１６】
以下、添付図面を参照しながら本発明を実施形態に基づいて説明するが、本発明はかかる実施形態のみに限定されるものではない。
【００１７】
図１に、本発明の一実施形態に係る住宅構造Ｋを示す。
【００１８】
住宅構造Ｋは、図１に示すように、片流れ屋根Ｒの中二階を有する住宅構造Ｋであって、リフト１０を玄関床Ｆに台座１１表面が玄関土間Ｄの表面と面一となるようにして埋設してなるとともに、リフト１０に隣接させて棚板を上下に有する収納、例えばタワー型収納２０を配設してなるものとされる。つまり、リフト１０とタワー型収納２０とを統合してなるものとされる。なお、図示例においては、屋根Ｒが低くなっている方が南側とされ、玄関は北側の一側に設けられてなるものとされる。
【００１９】
リフト１０は、図２に示すように、台座１１と、台座１１を昇降させる油圧シリンダ１２と、油圧シリンダ１２の駆動を制御する制御部１３と、制御部１３に動作信号を送信して台座１１を昇降させるリモコン１４と、リモコン１４からの操作信号を受信して制御部１３に送給する受信部１５とを含むものとされる。なお、図示はされていないが、シリンダ軸は、蛇腹式カバーにより覆われている。
【００２０】
ここで、台座１１の昇降範囲は、土間Ｄ表面からタワー型収納２０の最高部の収納区画への収納がなし得るよう調整されている。また、台座１１と、油圧シリンダ１２と、制御部１３と、受信部１５とによりリフト本体１０ａが構成される。
【００２１】
タワー型収納２０は、リフト１０近傍で室内中央側に設けられてなるものとされる。また、タワー型収納２０の高さは片流れ天井の近傍までとされる。
タワー型収納２０は、図３に示すように、縦仕切板２１と横板(棚板)２２とを格子状に配列するとともに、背板２３を配して収納領域がブロック状に形成されてなるものとされる。なお、居間側の列は、図示例においては、一部が透視型とされて飾り棚とされている。
【００２２】
次に、図４および図５も参照しながら、本実施形態における住宅の部屋割などについて説明する。
【００２３】
一階は、図４に示すように、住居の一側側に車庫が設けられ、車庫に隣接させて土間Ｄが設けられ、南側の一側側に風呂や洗面所などの水まわりが設けられ、他側側に寝室が設けられ、北側の土間Ｄ側にキッチンが設けられ、北側の他側側にダイニングが設けられ、ダイニングに隣接させて居間が設けられている。つまり、他側側に南側から寝室、居間およびダイニングがこの順で配設されている。また、キッチンの側面に隣接させてリフト１０が設けられ、リフト１０の前面にタワー型収納２０が居間との仕切壁状に設けられている。
【００２４】
中二階は、図５に示すように、土間Ｄの上側にスキップフロアＳが設けられ、車庫の上側にスキップガーデンが設けられてなるものとされる。スキップフロアＳへのアクセスは、リフト２０によりなされる。なお、スキップフロアＳへのアクセスは、土間Ｄと中二階とに階段を設け、その階段によりなされるようにされてもよい。
【００２５】
このように、本実施形態によれば、リフト１０を台座１１表面が玄関土間Ｄの表面と面一となるようにされているので、車椅子での外出などが容易となる。また、リフト１０に近接させてタワー型収納２０が配設されているので、タワー型収納２０の利便性が向上し、その利用率が向上する。
【００２６】
さらに、リフト１０は構成が簡単なので、エレベータを設置する場合に比してコストの低減が図られる。
【００２７】
以上、本発明を実施形態に基づいて説明してきたが、本発明はかかる実施形態のみに限定されるものではなく、種々改変が可能である。
【００２８】
例えば、タワー型収納２０をコの字状に形成し、タワー型収納２０によりリフト１０を囲むようにされてもよい。さすれば、住宅の空間利用率が向上する。
【産業上の利用可能性】
【００２９】
本発明は住宅産業に適用できる。
【符号の説明】
【００３０】
Ｋ      住宅構造
Ｄ      玄関土間
Ｆ      玄関床
Ｒ      屋根
Ｓ      スキップフロア
１０      リフト
１０ａ    リフト本体
１１      台座
１２      油圧シリンダ
１３      制御部
１４      リモコン
１５      受信部
２０      タワー型収納
２１      縦仕切板
２２      横板
２３      背板
【図１】
2014181496.tif 000003
【図２】
2014181496.tif 000004
【図３】
2014181496.tif 000005
【図４】
2014181496.tif 000006
【図５】
2014181496.tif 000007